(57)【要約】      （修正有）【課題】ホットドリンクを生成するためのマシンであって、複雑なシール機構を要することなく、簡単で経済的に、流入する抽出水をハウジングと抽出チャンバとの間の接続点で環境に対して容易にシールするマシンを提供する。【解決手段】ハウジング１１と抽出チャンバ３とを用いてホットドリンクを生成するためのマシン１であって、ハウジング１１に設けられた接続領域を通じて抽出水が抽出チャンバ３の上側部品へ送られる。複雑なロック機構を要することなく、簡単で経済的な耐摩耗的態様で、流入する抽出水をハウジング１１と抽出チャンバ３との間の接続点で環境に対してシールするため、シールが抽出チャンバ３の上側部品内に挿入され、抽出チャンバ３がマシン１内に挿入されるときに、シールと接続領域とが共に自動的に押圧され、それにより、接続領域と抽出チャンバ３の上側部品との間の接続点が環境に対してシールされる。【選択図】図１
2008178685.tif 000002
【特許請求の範囲】
【請求項１】
ハウジング（１１）と抽出チャンバ（３）とを用いてホットドリンクを生成するためのマシン（１）であって、前記ハウジング（１１）に接続領域（４０）が設けられ、当該接続領域を通じて抽出水が前記抽出チャンバの上側部品（３ｂ）へ送られる、前記マシン（１）において、
前記抽出チャンバの前記上側部品（３ｂ）内にシール（１６）が挿入され、
当該マシン（１）内への前記抽出チャンバ（３）の挿入によって、前記シール（１６）と前記接続領域（４０）とが共に自動的に押圧され、それにより、前記接続領域（４０）と前記抽出チャンバの前記上側部品（３ｂ）との間の接続点が環境に対してシールされることを特徴とするマシン。
【請求項２】
前記シール（１６）が弾性材料から形成され、取り付け状態の前記シール（１６）が前記接続領域（４０）によって圧縮されることを特徴とする、請求項１に記載のマシン。
【請求項３】
圧縮可能な前記シール（１６）の中央領域（１６ａ）が、前記抽出チャンバの前記上側部品（３ｂ）の支持部（４１）と少なくとも部分的に接触することを特徴とする、請求項２に記載のマシン。
【請求項４】
前記シール（１６）の形状が、前記抽出チャンバ（３）内の内圧の増大に伴って前記シール（１６）が前記接続領域（４０）に対して圧接されるように形成されていることを特徴とする、請求項１〜３のいずれか一項に記載のマシン。
【請求項５】
前記シール（１６）が、前記中央領域（１６ａ）を取り囲む外側領域（１６ｂ）を有し、前記外側領域は、前記抽出チャンバの上側部品（３ｂ）の内面（４２）から離間されると共に、前記抽出チャンバ内の増圧によって内面の方向へ押圧されることを特徴とする、請求項１〜４のいずれか一項に記載のマシン。
【請求項６】
前記シール（１６）が前記抽出チャンバの上側部品（３ｂ）の内面（４２）の上側領域のほぼ全体にわたって、少なくとも前記内面の上側領域の２５％を超える範囲にわたって延びるように、前記シール（１６）が形成されていることを特徴とする、請求項１〜５のいずれか一項に記載のマシン（１）。
【請求項７】
前記シール（１６）が、前記抽出チャンバの下側部品（３ａ）と共に前記抽出チャンバの前記上側部品（３ｂ）をシールする端部領域（１６ｃ）を有していることを特徴とする、請求項１〜６のいずれか一項に記載のマシン（１）。
【請求項８】
前記シール（１６）が一部品で形成されていることを特徴とする、請求項１〜７のいずれか一項に記載のマシン（１）。
【請求項９】
前記抽出チャンバ（３）が組み立てられてロックされた状態で受け領域を有し、この受け領域の形状及びサイズが、所定の標準的なサイズを有するパッドを収容できるように形成され、前記シール（１６）が、上側から及び側方から前記パッド（２３）を押圧する円周カラー（４３）を有していることを特徴とする、請求項１〜８のいずれか一項に記載のマシン（１）。
【請求項１０】
前記ハウジング（１１）が引出し区画室（２２）を有し、閉じられた前記抽出チャンバ（３）を完全なユニットとして前記引出し区画室内へ挿入できることを特徴とする、請求項１〜９のいずれか一項に記載のマシン（１）。
【請求項１１】
前記引出し区画室（２２）内の前記接続領域（４０）及び前記抽出チャンバの前記上側部品（３ｂ）の上面が、中央シール領域（１６ａ）が前記引き出しチャンバ（２２）内に挿入される際に前記接続領域（４０）上に乗り上がるように形成されていることを特徴とする、請求項１０に記載のマシン（１）。
【請求項１２】
前記抽出チャンバの前記上側部品（３ｂ）の上面（４６）が、少なくとも前記シール（１６）の前記中央領域（４０ａ）から前記抽出チャンバ（３）の挿入方向で外側へと延びる窪み（２６）を有していることを特徴とする、請求項１１に記載のマシン（１）。
【請求項１３】
前記抽出チャンバの高さが、前記抽出チャンバ（３）の挿入側から前記シールの前記中央領域（１６ａ）へ向かって増大していることを特徴とする、請求項１１に記載のマシン（１）。
【請求項１４】
前記シールの前記中央領域（１６ａ）には抽出水用のパイプ部分（２５）が設けられ、このパイプ部分を介して抽出水が抽出媒体へ向けて下方へ及び／又はチャンネル（４７）を介して径方向外側へ分配されることを特徴とする、請求項１〜１３のいずれか一項に記載のマシン（１）。
【請求項１５】
前記シール（１６）は、取り付けられていない状態で、少なくとも内側領域に凸形状を有すると共に、その下面上に溝（４９）を有し、前記溝は、前記パイプ部分（２５）から星形状を成して外側へと延びると共に、前記シールが前記抽出チャンバの上側部品（３ｂ）内に平らに取り付けられる際に閉じてチャンネル（４７）を形成することを特徴とする、請求項１４に記載のマシン（１）。
【請求項１６】
前記シール（１６）が、該シール（１６）を取り外して再び挿入できるように前記抽出チャンバ（３）内に配置されることを特徴とする、請求項１４又は１５に記載のマシン（１）。
【請求項１７】
前記接続領域（４０）が、前記ハウジング（１１）に直接に成形され、あるいは、前記ハウジング（１１）内に別個の要素として挿入されることを特徴とする、請求項１〜１６のいずれか一項に記載のマシン（１）。
【発明の詳細な説明】
【技術分野】
【０００１】
本発明は、請求項１のブリアンブルに記載されたホットドリンクを生成するためのマシンに関する。
【背景技術】
【０００２】
この種のマシン、特に、抽出水が加圧下でコーヒーかす等の抽出媒体を通過されるコーヒーマシンは、従来技術から既に知られている。
【０００３】
この種のコーヒーマシンは、抽出中に周囲環境に対してシールされる抽出チャンバを有している。抽出チャンバは、ここでは一般に、２つの部品を成して実現され、その場合、少なくとも一方の部品がマシン上に移動可能に配置される。ＷＯ２００５／０７２５７２には、例えば、抽出チャンバの下側部品を表わす引き出しが記載されている。抽出チャンバの上側部品はマシンに対して固定される。ＥＰ  ０９０４７１  Ａ１には、この種の抽出チャンバを実現する更なる方法が記載されている。ここでは、抽出チャンバの上側部品が旋回可能に支持されている。
【０００４】
全てのマシンに関して、抽出水は、加圧下で抽出チャンバへ供給されなければならない。これを行なうためには、抽出水パイプと抽出チャンバとの間のジョイント接続部が環境に対してもシールされなければならない。
【０００５】
マシンに対して抽出チャンバの上側部品を結合する必要性に起因して、抽出チャンバの上側部品は、電気製品から分離することができず、あるいは、複雑でコスト集約的な結合機構を用いて電気製品に対して結合することしかできない。
【発明の開示】
【発明が解決しようとする課題】
【０００６】
このため、本発明の目的は、ホットドリンクを生成するためのマシンであって、複雑なシール機構を要することなく、簡単で経済的に、流入する抽出水をハウジングと抽出チャンバとの間の接続点で環境に対して容易にシールするマシンを提供することである。
【課題を解決するための手段】
【０００７】
本発明によれば、この目的は、抽出チャンバの上側部品内にシールが挿入され、マシン内への抽出チャンバの挿入によって、シールと接続領域とが共に自動的に押圧され、それにより、接続領域と抽出チャンバの上側部品との間の接続点が環境に対してシールされるという点で解決される。
【０００８】
本発明は、更なる移動部品を要することなく、抽出水を抽出チャンバの上側部品へと送るための抽出水接続部と抽出チャンバの上側部品との間で信頼できるシールを容易にし、それにより、抽出チャンバがマシン内に挿入される（すなわち、例えば押し込みにより挿入される）ときには既に接続領域とシールとを共に押圧することができる。したがって、複雑なシール機構を回避することができる。このことは、ハウジング側で偏心器やプランジャ等が不要になることを意味する。これは、製造コスト及び動作並びにマシン設計に良い影響をもたらす。本発明によれば、シールのために更なる移動部品が必要とならないため、移動に起因する摩耗も存在しない。シールが抽出チャンバの上側部品内に含められているため、シールシステムを含む抽出チャンバ全体を簡単に取り外して洗浄することができると共に随意的に交換することができる。
【０００９】
シールが弾性材料から形成され、シールが取り付け状態において接続領域によって圧縮されれば有益である。このようにすると、圧縮されるシールの中央領域を少なくとも部分的に抽出チャンバ領域のための支持部上に配置することができる。この圧縮は、抽出チャンバをハウジングに対してシールするのに十分であり、これにより、抽出媒体上、例えばコーヒーパッド上にわたる抽出水の導入に伴って、僅かな内圧を抽出チャンバ内に形成することができる。
【００１０】
しかしながら、抽出中に、抽出チャンバ内の内圧が増大する。抽出チャンバ内の内圧の増大に伴ってシールが接続領域に対して圧接されるようにシールの形状が形成されれば有益である。このようにすると、抽出チャンバ内に広がる内圧に応じて、シールが接続領域に対して圧接され、それにより、流入する抽出水を環境に対して常にシールする力関係が確立される。
【００１１】
これを達成するため、シールは、例えば、外側領域によって取り囲まれる中央領域を有することができ、外側領域は、抽出チャンバの上側部品の内面から離間されると共に、抽出チャンバ内の増圧によって内面に対して押圧され得る。したがって、外側領域は、抽出チャンバ内の増圧をシールの中央領域に対して伝え、これにより、中央領域が接続領域に対して更に強く圧接される。
【００１２】
シールは、それが抽出チャンバの上側部品の内面の上側領域のほぼ全体にわたって、少なくとも内面の上側領域の２５％を超える範囲にわたって延びるように形成されていることが有益である。これにより、シール上に対する内圧の理想的な伝達が容易になる。
【００１３】
本発明によれば、シールは、抽出チャンバの下側部品と共に抽出チャンバの上側部品をシールする端部領域を有している。したがって、抽出チャンバの上側部品及び下側部品をシールするために抽出水パイプのためのシールを同時に使用することができ、それにより、構成が簡略化されると共に、構成が経済的になる。シールは一部品で形成されることが好ましい。
【００１４】
好ましい実施形態によれば、抽出チャンバが組み立てられてロックされた状態で受け領域を有し、この受け領域の形状及びサイズは、例えば特定の標準的なサイズを有するパッド（コーヒーパッド、ティーパッドなど）を収容できるように形成されている。この場合、シールは、上側から及び側方からパッドを押圧して当該パットを保持すると共にパッド内の抽出水の均一な分配を容易にする円周カラーを有するように形成することができる。
【００１５】
好ましい実施形態によれば、ハウジングが引出し区画室を有し、閉じられた抽出チャンバを完全に引出し区画室内へ挿入できる。この種の実施形態は、抽出チャンバを閉じた状態で完全に取り外すことができ且つマシンの外側で開放することができるため、特に有益である。抽出チャンバの挿入は、ハウジング内の抽出チャンバの簡単な交換を容易にする。したがって、抽出チャンバをマシン内に挿入するだけで、接続領域と抽出チャンバの上側部品との間の接続点を環境に対してシールすることができる。
【００１６】
ここで、引出し区画室内に配置される接続領域及び抽出チャンバの上側部品の上面は、中央シール領域が引出し区画室内への挿入時に接続領域上に乗り上がるように形成される。好ましい実施形態によれば、接続領域は引出し区画室内へ突出することができる。中央シール領域が簡単に乗り上がることができるように、抽出チャンバの上側部品の上面は、少なくともシールの中央領域から抽出チャンバの挿入方向で外側へと延びる窪みを有することができる。したがって、抽出チャンバが引出し区画室内に挿入される際、引出し区画室内に突出する接続領域は、それがシール上に乗り上がるまで窪み内で案内される。抽出チャンバの挿入を容易にするため、抽出チャンバの高さは、抽出チャンバの挿入側からシールの中央領域へ向かって増大することができる。したがって、接続領域によって挿入プロセスが損なわれることなく、抽出チャンバを簡単な態様で導入することができる。
【００１７】
本発明の好ましい実施形態によれば、シールは、抽出チャンバの上側部品内の抽出水を星形パターンで分配する更なる役目を果たす。シールの中央領域は抽出水用のパイプ部分を有しており、このパイプ部分を介して抽出水が抽出媒体へ向けて下方へ及び／又はチャンネルを介して星形パターンで外側へ分配される。
【００１８】
好ましい実施形態によれば、シールは、挿入されていない状態で、凸形状を有すると共に、その下面上に溝を有し、これらの溝は、パイプ部分から星形パターンで外側へと延びると共に、シールが抽出チャンバの上側部品内に平らに取り付けられる際にチャンネルを形成する。この構造は、抽出チャンバの特に経済的な製造を容易にする。ここで、重要な利点は、分配チャンネルのために更なる構成要素が必要とならないという点である。更なる利点は、抽出チャンバから取り外して交換できるシールを十分に洗浄することができると共に、シールを曲げることによってチャンネルを開放することができ、それにより、チャンネルを洗浄できるという点である。したがって、チャンネル内に汚染や石灰化が生じない。
【００１９】
マシンの接続領域は、ハウジング上に直接に成形することができ、すなわち、適切な接続ニップルとしてハウジング上に成形することができ、あるいは、ハウジング内に別個の要素として挿入することができる。接続領域が別個の要素としてハウジング内に挿入される場合には、例えば、適切な弾性材料を選択できる可能性がある。
【００２０】
以下、図面を参照して、本発明を更に詳しく説明する。
【発明を実施するための最良の形態】
【００２１】
以下、ホットドリンクの生成のためのシングルカップマシンに関連して本発明を説明する。特に、ハウジングから１つのユニットとして完全に取り外すことができ且つハウジング内に挿入できる２部品の抽出チャンバ３に関連して本発明を説明する。本発明は、特にこれらのタイプのマシンにおいて有益である。これは、抽出チャンバ内の抽出チャンバ媒体を頻繁に交換し、また、抽出チャンバを頻繁に且つ容易に取り外して洗浄しなければならないからである。しかしながら、本発明は、マルチカップシステムにも適しており、あるいは、抽出チャンバの少なくとも上側部品がハウジングから移動されるシステムにも適している。
【００２２】
図１は、ホットドリンクの生成のための本発明に係るマシン１の可能な実施形態を斜視図で示している。この種のマシン１は、例えば、コーヒー又は茶などを生成することができる。マシン１はハウジング１１を有しており、ハウジング１１はその上側にカバーを有し、このカバーを用いてハウジング１１を開閉することができる。ハウジング内には注水レベルマーク８を有する水タンク７があり、ホットドリンクのために注水レベルマーク８まで水を満たすことができる。水タンク７のサイズ又は収容容量は、１カップのホットドリンクを生成するために必要な量の水だけを水タンクが受け入れることができるように設計される。ここで、所定の容量は、カップのサイズに応じて１００〜２００ｍｌの範囲である。小さな水タンク容量に起因して、タンクは抽出の最後に空となる。したがって、タンク内に水を長期間にわたって維持することに起因して汚染が生じる可能性はない。また、マシン１は、水タンク７からの水を加熱する図示しない加熱システムを有している。ここでは、ボイラシステム又はユニットヒータを使用することができる。ヒータシステムは、１カップのホットドリンクのためだけの量の水を加熱するのに十分となるように定格が設定される。したがって、マシン１は、加熱システム１２のサイズ及び電力の定格に合った抽出量のみを有している。その結果、１カップの抽出水を供給するために必要な量のエネルギだけが送られる。また、マシンは、ホットドリンクが排出されるカップ２を収容するための領域９を有している。
【００２３】
領域９のサイズは、カップ２を当該領域に配置できるように選択される。上側領域９内には引き出しチャンバ２２があり、引き出しチャンバ２２内には図１に示されるように抽出チャンバ３が挿入されるが、図２では、抽出チャンバが１つのユニットとして完全に取り外されている。抽出チャンバ３を挿入すると、キャビティが形成され、このキャビティの（ハウジング１１の前面１４と平行な）長手方向断面は、その中に位置されるカップ２の形状に適合する形状を有する。取っ手を有するカップを使用できるように、チャンバ９は、少なくとも一方側に、例えばカップ２の取っ手１０を収容するためにチャンバ領域の側壁から側方外側へ延びる領域を有している。この実施形態は、カップを収容するための領域の非常にスペースを取らない配置を容易にし、そのため、全体のスペースを節約できる。
【００２４】
また、マシン１は、全体操作のためのボタン４を１つだけ有している。ここではプッシュボタンとして形成されるボタン４は、ここでは主要な動作状態を表示する照明リング５の形態を成す照明インジケータ５を有している。マシン１は、加熱システム、ポンプ、照明インジケータを制御する図示しない制御ユニットを有している。
【００２５】
本発明のこの実施形態によれば、抽出チャンバ３は、ハウジング１１に対して固定されず、その代わり、完全に取り外すことができる。図１は、抽出チャンバ３が完全に挿入された状態のマシンを示している。図２は、抽出チャンバ３が取り外された状態のマシンを示している。ここで、十分に或いは完全に取り外し可能とは、上側部品３ｂ及び下側部品３ａである両方の部品を組み立て状態で同時にマシンから取り外すことができることを意味している。例えばコーヒー粉末又はコーヒーパッド、カプセル又はコーヒー／茶粉末などの様々な形態の様々な抽出媒体を抽出チャンバ３内に充填することができる。
【００２６】
特に図５及び図６から分かるように、抽出チャンバ３は、ここでは、ロック機構２４によって強固に結合できる上側部品３ｂ及び下側部品３ａを備えている。この種の閉塞機構２４は、例えばネジカム２４（図６参照）によって実現できるが、スクリューロック又はバヨネットロックによっても実現できる。この種のロック機構は摩耗が非常に少ない。抽出チャンバの２つの部品３ａ，３ｂはそれぞれ適切な上側挿入体１６及び下側挿入体３０を有している。下側挿入体３０は、下側部品３ａ内に挿入されると共に、径方向に延びるウェブ２８を有しており、これらのウェブ２８は、抽出チャンバ３の出口３１につながると共に、分配機３１へ向かう抽出媒体の経路に対して有利に影響を及ぼす。上側挿入体１６は、様々な機能を有しており、シールとして形成される。図３は、引出し区画室２２内に挿入される組み立て状態の抽出チャンバの可能な実施形態を示している。図３の矢印Ｅは挿入方向を示している。抽出チャンバの上側部品３ｂの上面４６は、ここでは抽出チャンバの略中心に開口５０を有している。図３においては、ここでは抽出チャンバの上側部品３ｂ内に挿入されるシール１６をはっきりと見ることができる。シール１６は、この実施形態では、３０−６０ショアの範囲、好ましくは５０ショアのショア硬さを有する弾性材料から、好ましくはシリコンから形成されている。抽出チャンバのための材料に関して、シールは、食品に適合し、最大で少なくとも９５℃の温度耐性を有していなければならない。これは、シールが抽出媒体又は抽出水と直接に接触するからである。シール１６は一部品で形成される。シールは、抽出チャンバの上側部品の開口５０を通じて抽出チャンバの上側部品３ｂの上面４６へと延びると共にここでは円周カラーを有する中央領域１６ａを有している。接続領域４０から抽出水が通過するパイプ部分２５は、シールの中央領域１６ａを貫通して延びている。接続領域４０には抽出水パイプ１８が設けられている。この実施形態において、シールの中央領域１６ａの少なくとも一部（図３左側）は、上側部品３ｂの隣接する上面を僅かに超えて突出しており、それにより、中央領域１６ａを寸法ａだけ圧縮できるようになっている。ハウジング１１の引き出しレール２２ａは、引出し区画室２２内への抽出チャンバ３の挿入時に抽出チャンバ３がハウジング１１内で正確な位置をとり且つシール１６ａのパイプ部分２５が接続領域４０に対して、特に抽出水パイプ１８に対して正確に位置合わせされるように寸法付けられている。このようにすれば、ポンプを用いて水タンク７から圧送され且つ加熱システムによって加熱された抽出水を、接続領域４０を介して高圧下で抽出チャンバ３内へ導入することができる。ここで、抽出チャンバの上側部品及び下側部品は、以下で更に詳しく説明するように、互いに圧密状態で結合されなければならない。
【００２７】
本発明によれば、シール１６すなわちシールの中央領域１６ａと接続領域４０とは、挿入−ここでは、マシン１の引出し区画室２２内への抽出チャンバ３の挿入−によって共に自動的に押し付けられ、それにより、接続領域４０と上側部品３ｂとの間の接続点が環境に対してシールされる。シール１６は、ここでは弾性材料から形成されているため、チャンバ２２内に突出する接続領域４０によって僅かに圧縮される（寸法ａ）。これを容易にするために、中央領域１６ａの部分、ここではカラーが、抽出チャンバの上側部品３ｂの支持部４１上に位置している。また、抽出チャンバ全体が引き出しレール２２ａ上に位置される。
【００２８】
この圧縮は、ハウジング１１に対して抽出チャンバをシールするのに十分であり、それにより、抽出媒体２３上にわたる抽出水の導入に関して、抽出チャンバ内に僅かな内圧を形成することができる。
【００２９】
接続領域４０は上方へ延びる面取りを有しており、それにより、引出し区画室２２内への抽出チャンバの挿入時に、中央領域１６ａが接続領域４０の下側部位に当接することができ、その結果、中央領域１６ａが自動的に押し下げられ、したがって、比較的シールされた座部が自動的に形成されるようになっている。シールの中央領域１６ａのカラーを下方に面取りすることもできる。
【００３０】
抽出チャンバ３を引出し区画室２２内へ容易に挿入できるように、抽出チャンバ３の高さは、例えば、図３及び図７ｂに示されるように、抽出チャンバ３の挿入側からシールの中央領域１６ａへ向かって増大することができる。図７ｂは、抽出チャンバ３の挿入時にハウジング１１と対向して位置される高さｈ１が反対側の高さｈ２よりも小さいことを示している。導入をうまく行なえるように、抽出チャンバの上側部品の上面４６は、少なくともシールの中央領域１６ａから抽出チャンバ３の挿入方向で外側へと延びる窪み２６を有することもできる。窪みの高さは、図７ｂから分かるように、挿入方向に対して僅かに増大している。上記構成は、抽出チャンバの容易な挿入を円滑にする。その場合、同時に、抽出チャンバが下側レール２２ａ上に位置されると共に、チャンバとハウジングとの間の積極的なロック結合６０が、挿入側と反対の抽出チャンバの側に形成される。
【００３１】
このように、前述した中央シール領域１６ａの圧縮により、抽出チャンバ３内に僅かな内圧が形成される際、抽出チャンバをハウジングに対して適切にシールすることができる。
【００３２】
抽出チャンバにおけるシールの平坦な形状により、シール１６を内圧（寸法ｂ）によって接続領域４０に対して更に押圧することができる。このため、シール１６は、中央領域１６ａの周囲に配置され且つ抽出チャンバの上側部品３ｂの内面４２へ向かう方向又はその逆の方向での抽出チャンバ内の圧力増大に起因して抽出チャンバの上側部品３ｂの内面４２から寸法ｂだけ離間される領域１６ｂを有している。このようにすると、抽出チャンバ内の増大した圧力がシール１６に伝えられ、更に多くの中央領域１６ａが接続領域４０に圧接され、それにより、シール性能が高められる。したがって、抽出チャンバ内に広がる内圧に応じて、シールが接続領域に対して圧接され、それにより、流入する抽出水を環境に対して常にシールする力関係が確立される。
【００３３】
ここで、平坦状のシール１６は、それが抽出チャンバの上側部品３ｂの内面４２の上側領域のほぼ全体にわたって、少なくとも内面の上側領域の２５％を超える範囲にわたって延びるように形成されており、それにより、内側チャンバ内の圧力をシールへ、したがって接続領域４０へと適切に伝えることができるようになっている。
【００３４】
この実施形態において、シールは、一部品で実現されると共に、抽出チャンバの下側部品３ａと共に抽出チャンバの上側部品３ｂをシールする役目を果たす。
【００３５】
領域１６ｂが中央領域１６ａの周囲に配置されるという表現は、図面の場合のように、内面４２から離間する外側領域１６ｂが、開口５０を貫通して延びる中央領域１６ａと直接に隣接することを示唆しようとするものではない。また、外側領域が最初に内面４２と隣接し、その後に、内面４２に対する間隔を径方向で形成することもできる。
【００３６】
特に図３及び図９から分かるように、シール１６は、一部品で実現されると共に、接続領域４０と抽出チャンバの上側部品３ｂとの間の前述したシールに加えて、抽出チャンバの下側部品と共に抽出チャンバの上側部品をシールする役目を果たすこともできる。このため、特に図３及び図９から分かるように、抽出チャンバの上側部品３ｂの側壁４５の内面部位領域へと延びる端部領域１６ｃが設けられる。ここでは、端部領域１６ｃは、それが抽出チャンバの下側部品３ａの下側挿入体３０と接触するように形成されており、これにより、抽出チャンバの上側部品と下側部品との間の隙間１９がシールされる。シール１６がこのシール機能も担うため、外部シールリングなどの付加的なシールを省くことができる。内圧の増大により、シール１６は、抽出チャンバの下側部品又は対応する挿入体３０に対して度合いを増して圧接され、それにより、シール効果が圧力増大に伴って高まる。
【００３７】
また、生じる抽出圧は、抽出チャンバ３の部品３ａ，３ｂに作用する軸力を引き起こす。抽出チャンバに作用する圧力は、
ａ）抽出チャンバの部品３ａ，３ｂをハウジング１１と積極的に結合させてロックすることによって防止することができる。ここで、引出し区画室２２及び抽出チャンバ３ｂの寸法は、上側部品３ｂの表面及び下側部品３ａの下面が少なくとも部分的に引出し区画室２２と接触するように形成される。したがって、軸方向に作用する力をハウジング１１によって支えることができ、その結果、抽出チャンバが圧力に晒されない。
ｂ）抽出チャンバの部品３ａ，３ｂは、前述したように、ロック機構２４によってマシンの外側で強固にロックされる。その結果、このロックシステムが、生じる軸力を支える。手段ａ及びｂの組み合わせが、特にシール領域１６ｃとの組み合わせにおいて特に有効である。
【００３８】
引出し区画室２２は、抽出チャンバ３が引出し区画室と側面で部分的に接触するように寸法付けられることが有益である。したがって、抽出チャンバの部品３ａ，３ｂは、引出し区画室２２内への挿入後、径方向でも互いに固定される。その結果、径方向抽出力は、抽出チャンバの部品３ａ，３ｂ及び隣接するハウジング１１によって直接に支えられる。
【００３９】
特に図３及び図９から分かるように、シール１６は、抽出チャンバの上側部品３ｂの対応する溝内に簡単な態様で圧入可能な突出部５１、ここでは環状突出部５１を有しており、それにより、シール１６を抽出チャンバの上側部品３ｂ内で固定することができるが、同時に、洗浄目的でシール１６を簡単な態様で再び取り外すことができる。
【００４０】
シール１６は、抽出チャンバの上側部品３ｂに対して抽出水を送る接続領域４０を抽出チャンバの上側部品に対してシールすると共に随意的に抽出チャンバの２つの半体もシールする機能以外に、更なる機能、すなわち、抽出チャンバの上側部品内で抽出水を星形パターンで分配するという機能を果たすことができる。図３からはっきりと分かるように、シールの中央領域１６ａは抽出水用のパイプ部分２５を備えており、このパイプ部分を介して抽出水が下方へ及び／又は外側へとチャンネル４７を経由して星形パターンで分配される。チャンネル４７は、特に図８ａから分かるようにシール１６の下面上に位置されており、その内側がパイプ部分２５に対して接続されている。チャンネルはその他端に開口４８を有しており、この開口を通じて水を排出させることができる。特に図８から分かるように、シールは、チャンネル４７を形成するために凸状に成形される。ここでは、少なくとも内側領域、すなわち、チャンネル４７が延在されるべき部位が凸状に形成される。この凸状領域には、下側に開放する溝４９が設けられる。ここでは、溝は、上側の幅が下側の幅よりも小さくなるように形成される。すなわち、溝は、ここでは、略Ｖ字形状に寸法付けられる。ここで、シール１６が抽出チャンバの上側部品３ｂ内で平らに装着される場合、溝は、図８ｂに示されるように閉じて、三角形断面をほぼ有するチャンネル４７を形成する。
【００４１】
このように、抽出水チャンネルは、更なる構成要素を伴うことなく或いは複雑な製造方法を要することなく、簡単な方法で形成することができる。チャンネル４７に関するこの種の実施形態も、抽出チャンバを洗浄する際にシールを取り外すことができるという利点を有する。その場合、シール１６を裏返しにするだけで洗浄のためにチャンネルを開放することができ、また、そのようにして、チャンネルを洗浄することができる。
【００４２】
図４は、付加的に形成された円周カラー４３を除いて基本的に図３に示される実施形態に対応する本発明の更なる実施形態を示している。図４から分かるように、抽出チャンバ３は、組み立てられてロックされた状態では、抽出媒体２３のための受け領域を有する。抽出媒体２３のための受け領域は、ここでは、例えば、所定の標準的なサイズを有する例えばコーヒー又は茶のためのパッドを収容できるような形状及びサイズを有している。円周カラー４３は、パッドの外周を側部で及び上側から押圧するように受け領域内へ突出している。したがって、パッドが保持され、水の均一な分配が促進される。
【００４３】
図３では、接続領域４０がハウジング１１内に別個の要素として挿入された。したがって、随意的に、ハウジング材料とは異なる材料から接続領域４０を形成することもできる。しかしながら、図１０に示されるように、抽出水用の接続ニップルをハウジングに直接に成形することもできる。
【００４４】
本発明によれば、接続領域４０をシールするために抽出チャンバの上側部品において更なる移動部品が必要とされず、そのため、システムが非常に経済的となる。マシンに移動部品が配置されていないため、移動に伴う摩耗も存在しない。シールシステムを含む抽出チャンバ全体を簡単に取り外して洗浄することができると共に随意的に交換することができる。ここでは、シール１６は、都合の良い態様で、抽出チャンバ内の低圧及び高圧を用いた接続領域４０及び抽出チャンバ３のシール、抽出チャンバの両方の半体のシール、抽出水の星形分配など、様々な機能を果たすことができる。特に、このシールシステムは、ここでは１カップ後にその都度、抽出チャンバが取り外されて空にされ、洗浄されて、充填され、再び使用されるため、シングルカップシステムに特に適している。
【図面の簡単な説明】
【００４５】
【図１】抽出チャンバが挿入された本発明に係るマシンの斜視図を概略的に示している。
【図２】抽出チャンバが取り外された図１に示されるマシンを斜視図で概略的に示している。
【図３】ハウジング内に挿入される本発明に係るシールを有する抽出チャンバの一実施形態の断面を概略的に示している。
【図４】挿入されたシールを有する抽出チャンバの他の実施形態の断面を示している。
【図５】本発明に係る抽出チャンバの分解図を示している。
【図６】抽出チャンバの上側部品の下面の斜視図を示している。
【図７ａ】抽出チャンバの上側部品の平面図を示している。
【図７ｂ】図７ａのＡ−Ａ線に沿う断面を示している。
【図８ａ】シールの下面の平面図を示している。
【図８ｂ】図８ａのＢ−Ｂ線に沿う断面を示している。
【図８ｃ】図８ａのＣ−Ｃ線に沿う断面を示している。
【図９ａ】本発明に係るシールの上面を斜視図で示している。
【図９ｂ】本発明に係るシールの下面を示している。
【図１０】接続領域がハウジング上に成形されている引出し区画室の断面を示している。
【符号の説明】
【００４６】
１…マシン
２…カップ
３…抽出チャンバ
３ａ…下側部品
３ｂ…上側部品
４…ボタン
５…照明インジケータ
７…水タンク
８…注水レベルマーク
９…領域
１１…ハウジング
１２…加熱システム
１４…前面
１６…シール
１８…パイプ
１９…隙間
２２…引出し区画室
２３…抽出媒体
２４…ロック機構
４０…接続領域
４３…円周カラー
【図１】
2008178685.tif 000003
【図２】
2008178685.tif 000004
【図３】
2008178685.tif 000005
【図４】
2008178685.tif 000006
【図５】
2008178685.tif 000007
【図６】
2008178685.tif 000008
【図７ａ】
2008178685.tif 000009
【図７ｂ】
2008178685.tif 000010
【図８ａ】
2008178685.tif 000011
【図８ｂ】
2008178685.tif 000012
【図８ｃ】
2008178685.tif 000013
【図９ａ】
2008178685.tif 000014
【図９ｂ】
2008178685.tif 000015
【図１０】
2008178685.tif 000016
【外国語明細書】
2008178685000001.pdf